(57)【要約】【課題】各ジョブが実際に実行されるタイミングがユーザにとって直感的に把握し易く、使い勝手が良い複合機を提供すること。【解決手段】複合機１によれば、ジョブの処理順序が、記録部７６，ＦＡＸ部７７，ＰＣ部７８毎に分別して表示されるので、各ジョブが実際に実行されるタイミングがユーザにとって直感的に把握し易い。また、ユーザは、各ジョブが実際に実行されるタイミングを正確に把握した上で処理順序を変更することができる。よって、使い勝手の良いジョブ管理を実現できる。【選択図】図６
2008141563.tif 000002
【特許請求の範囲】
【請求項１】
入力データを、処理単位であるジョブ毎に出力処理する出力手段を複数備えた複合機において、
前記出力手段による処理待ちのジョブの処理順序を、画面に表示するジョブ表示手段を備え、
前記ジョブ表示手段は、ジョブの処理順序を、そのジョブを出力処理する出力手段毎に分別して表示するものであることを特徴とする複合機。
【請求項２】
前記ジョブ表示手段は、１画面を複数の領域に分割し、前記複数の出力手段のうち少なくとも２以上の出力手段のそれぞれに対し前記領域を割り当て、各出力手段に対し割り当てられた領域に、その出力手段による処理待ちのジョブの処理順序を表示することを特徴とする請求項１記載の複合機。
【請求項３】
前記ジョブ表示手段により処理順序が表示されたジョブのうち少なくとも１つを、前記画面において分別して表示された出力手段とは異なる出力手段により出力処理させる変更手段を備えたことを特徴とする請求項１または２に記載の複合機。
【請求項４】
前記変更手段による処理の対象となったジョブを、前記画面において分別して表示された出力手段により出力処理させることを特徴とする請求項３記載の複合機。
【請求項５】
前記ジョブ表示手段は、前記変更手段を実行するための操作画面を前記画面に表示することを特徴とする請求項３または４に記載の複合機。
【請求項６】
前記変更手段は、
前記ジョブ表示手段により処理順序が表示されたジョブのうち、変更元のジョブをユーザに確定させる変更元確定手段と、
その変更元確定手段により確定されたジョブの変更後の出力手段および処理順序を、前記ジョブ表示手段により出力手段毎に分別して表示された処理順序からユーザに決定させる変更位置決定手段とを備えることを特徴とする請求項３から５のいずれかに記載の複合機。
【請求項７】
前記ジョブ表示手段により表示された処理順序のうち、少なくともいずれか１つをユーザに選択させる選択手段と、
その選択手段により選択された処理順序にあるジョブの内容を示すプレビュー画像を表示するプレビュー画像表示手段とを備え、
前記変更元確定手段は、前記プレビュー画像表示手段により表示されたプレビュー画像のジョブを変更元のジョブとするかをユーザに確定させるものであることを特徴とする請求項６記載の複合機。
【請求項８】
前記変更位置決定手段により決定された変更後の出力手段および処理順序で出力処理するジョブを、前記変更元確定手段により確定された変更元のジョブに基づいて作成する変更後ジョブ作成手段と、
前記変更後ジョブ作成手段によりジョブが作成された後、前記変更元確定手段により確定された変更元のジョブを削除する削除手段とを備えることを特徴とする請求項３から７のいずれかに記載の複合機。
【請求項９】
前記出力手段として、記録媒体に画像を記録することによりジョブを出力処理する記録手段と、ファクシミリ送信することによりジョブを出力処理するファクシミリ手段と、接続されたコンピュータとの通信によりジョブを出力処理するインターフェイス手段と、原稿を読み取りその画像データをジョブとして出力処理するスキャナ手段とを備え、
前記ジョブ表示手段により表示される画面は、記録手段により出力処理されるジョブの処理順序を表示する領域と、ファクシミリ手段により出力処理されるジョブの処理順序を表示する領域と、インターフェイス手段により出力処理されるジョブの処理順序を表示する領域とを有し、前記スキャナ手段により出力処理されるジョブの処理順序を表示する領域を有さないことを特徴とする請求項１から８のいずれかに記載の複合機。
【発明の詳細な説明】
【技術分野】
【０００１】
本発明は複合機に関し、特に、各ジョブが実際に実行されるタイミングがユーザにとって直感的に把握し易く、使い勝手が良い複合機に関するものである。
【背景技術】
【０００２】
入力データを記録用紙に記録出力する記録装置や、スキャナで読み込んだデータをファクシミリ送信するファクシミリ装置などの画像処理装置が知られている。このような画像処理装置では、通常、入力データをジョブと呼ばれる管理単位に分け、各ジョブの出力可否、処理順序などを管理する。また、処理順序の変更、出力の中止、あるいは一時停止が可能となるように構成されている。
【０００３】
このような画像処理装置において、処理待ちのジョブを検出し、一定時間間隔で処理順序を更新、表示することが行われている（特許文献１参照）。このようにすれば、ユーザは、処理待ちにあるジョブの処理順序を把握できるので、ジョブ処理順序の変更などの作業が可能となる。
【特許文献１】特開平１０−３３３８４８号公報
【発明の開示】
【発明が解決しようとする課題】
【０００４】
しかしながら、例えば、記録装置、ファクシミリ装置などの複数の出力装置を一体に備えた複合機においては、各出力装置は独立に動作するので、複合機の処理待ちジョブを単に順番に表示しただけでは、各ジョブの実際の処理タイミングを正確に把握し難いという問題点があった。また、ユーザが、実際の処理のタイミングを正確に把握できない場合は、ユーザに無駄な操作をさせるおそれがある。
【０００５】
例えば、ジョブ１が記録処理待ちであり、その後に入力されたジョブ２がファクシミリ送信処理待ちである場合には、記録処理よりもファクシミリ送信処理が早く進行すると、ジョブ１よりもジョブ２が先に出力されることもあり得る。すなわち、複合機にジョブが入力された順序と、実際に出力が完了する順番とが異なる場合があり得る。そのような場合、ジョブ２の処理順序をジョブ１の処理順序よりも前に持ってくる処理順序変更操作をユーザがしたとしても、実際はそのような操作は無意味である。
【０００６】
本発明は、上記問題点を解決するためになされたものであり、各ジョブが実際に実行されるタイミングがユーザにとって直感的に把握し易く、使い勝手が良い複合機を提供することを目的としている。
【課題を解決するための手段】
【０００７】
この目的を達成するために、請求項１記載の複合機は、入力データを、処理単位であるジョブ毎に出力処理する出力手段を複数備えたものであって、前記出力手段による処理待ちのジョブの処理順序を、画面に表示するジョブ表示手段を備え、前記ジョブ表示手段は、ジョブの処理順序を、そのジョブを出力処理する出力手段毎に分別して表示するものである。
【０００８】
請求項２記載の複合機は、請求項１記載の複合機において、前記ジョブ表示手段は、１画面を複数の領域に分割し、前記複数の出力手段のうち少なくとも２以上の出力手段のそれぞれに対し前記領域を割り当て、各出力手段に対し割り当てられた領域に、その出力手段による処理待ちのジョブの処理順序を表示することを特徴とする。
【０００９】
請求項３記載の複合機は、請求項１または２に記載の複合機において、前記ジョブ表示手段により処理順序が表示されたジョブのうち少なくとも１つを、前記画面において分別して表示された出力手段とは異なる出力手段により出力処理させる変更手段を備えたことを特徴とする。
【００１０】
請求項４記載の複合機は、請求項３記載の複合機において、前記変更手段による処理の対象となったジョブを、前記画面において分別して表示された出力手段により出力処理させることを特徴とする。
【００１１】
請求項５記載の複合機は、請求項３または４に記載の複合機において、前記ジョブ表示手段は、前記変更手段を実行するための操作画面を前記画面に表示することを特徴とする。
【００１２】
請求項６記載の複合機は、請求項３から５のいずれかに記載の複合機において、前記変更手段は、前記ジョブ表示手段により処理順序が表示されたジョブのうち、変更元のジョブをユーザに確定させる変更元確定手段と、その変更元確定手段により確定されたジョブの変更後の出力手段および処理順序を、前記ジョブ表示手段により出力手段毎に分別して表示された処理順序からユーザに決定させる変更位置決定手段とを備えることを特徴とする。
【００１３】
請求項７記載の複合機は、請求項６記載の複合機において、前記ジョブ表示手段により表示された処理順序のうち、少なくともいずれか１つをユーザに選択させる選択手段と、その選択手段により選択された処理順序にあるジョブの内容を示すプレビュー画像を表示するプレビュー画像表示手段とを備え、前記変更元確定手段は、前記プレビュー画像表示手段により表示されたプレビュー画像のジョブを変更元のジョブとするかをユーザに確定させるものであることを特徴とする。
【００１４】
請求項８記載の複合機は、請求項３から７のいずれかに記載の複合機において、前記変更位置決定手段により決定された変更後の出力手段および処理順序で出力処理するジョブを、前記変更元確定手段により確定された変更元のジョブに基づいて作成する変更後ジョブ作成手段と、前記変更後ジョブ作成手段によりジョブが作成された後、前記変更元確定手段により確定された変更元のジョブを削除する削除手段とを備えることを特徴とする。
【００１５】
請求項９記載の複合機は、請求項１から８のいずれかに記載の複合機において、前記出力手段として、記録媒体に画像を記録することによりジョブを出力処理する記録手段と、ファクシミリ送信することによりジョブを出力処理するファクシミリ手段と、接続されたコンピュータとの通信によりジョブを出力処理するインターフェイス手段と、原稿を読み取りその画像データをジョブとして出力処理するスキャナ手段とを備え、前記ジョブ表示手段により表示される画面は、記録手段により出力処理されるジョブの処理順序を表示する領域と、ファクシミリ手段により出力処理されるジョブの処理順序を表示する領域と、インターフェイス手段により出力処理されるジョブの処理順序を表示する領域とを有し、前記スキャナ手段により出力処理されるジョブの処理順序を表示する領域を有さないことを特徴とする。
【発明の効果】
【００１６】
請求項１記載の複合機によれば、ジョブの処理順序が、そのジョブを出力する出力手段毎に分別して表示されるので、各ジョブが実際に実行されるタイミングがユーザにとって直感的に把握し易いという効果がある。
【００１７】
請求項２記載の複合機によれば、請求項１記載の複合機の奏する効果に加え、ジョブ表示手段は、１画面を複数の領域に分割し、複数の出力手段のうち少なくとも２以上の出力手段のそれぞれに対し前記領域を割り当て、各出力手段に対し割り当てられた領域に、その出力手段による処理待ちのジョブを表示するので、ユーザは１画面を見るだけで、各ジョブの実際の実行タイミングを直感的に把握できるという効果がある。
【００１８】
請求項３記載の複合機によれば、請求項１または２に記載の複合機の奏する効果に加え、前記ジョブ表示手段により画面に表示されたジョブのうち少なくとも１つを、前記画面において分別して表示された出力手段とは異なる出力手段により出力処理させる変更手段を備えているので、ユーザは、各ジョブが実際に実行されるタイミングを正確に把握した上で出力手段を変更することができる。よって、使い勝手の良いジョブ管理を実現できるという効果がある。
【００１９】
請求項４記載の複合機によれば、請求項３記載の複合機の奏する効果に加え、前記変更手段による処理の対象となったジョブを、前記画面において分別して表示された出力手段と、分別して表示された出力手段とは異なる出力手段とにより出力処理させるので、使い勝手の良いジョブ管理を実現できるという効果がある。
【００２０】
請求項５記載の複合機によれば、請求項３または４に記載の複合機の奏する効果に加え、前記ジョブ表示手段は、前記変更手段を実行するための操作画面を前記画面に表示するので、ユーザにとっては操作が分かりやすく使い勝手が良いという効果がある。
【００２１】
請求項６記載の複合機によれば、請求項３から５のいずれかに記載の複合機の奏する効果に加え、ユーザは、ジョブ表示画面により表示された画面から、変更元ジョブ、変更後の出力手段および変更後の処理順序を決定することができ、ユーザにとって直感的に理解し易く、使い勝手が良いという効果がある。
【００２２】
請求項７記載の複合機によれば、請求項６記載の複合機の奏する効果に加え、変更元確定手段は、プレビュー画像表示手段により表示されたプレビュー画像のジョブを変更元のジョブとするかをユーザに確定させるので、ユーザは、ジョブの詳細な内容を視認した後、そのジョブを変更元のジョブとするかを確定することができ、ユーザにとって使い勝手が良いという効果がある。
【００２３】
請求項８記載の複合機によれば、請求項３から７のいずれかに記載の複合機の奏する効果に加え、変更後ジョブ作成手段によりジョブが作成された後、変更元確定手段により確定された変更元のジョブを削除する削除手段を備えるので、不要なジョブは削除することができ、不要なジョブを実行することによる消耗品の浪費、および処理の遅延が抑制されるという効果がある。
【００２４】
請求項９記載の複合機によれば、請求項１から８のいずれかに記載の複合機の奏する効果に加え、ジョブ表示手段により表示される画面は、スキャナ手段により出力処理されるジョブの処理順序を表示する領域を有さないので、画面を有効に活用することができるという効果がある。すなわち、スキャナ手段の使用中には、原稿読取台に読み取り対象の原稿が載置されているから、スキャナ手段に関しては、自動的に処理待ちジョブが蓄積することはない。このように、処理待ちジョブを表示する必要性が低いスキャナ手段については、処理順序を表示する領域を設けないので、他の出力手段に関する情報を表示する領域を確保し、画面を有効に活用することができるのである。
【発明を実施するための最良の形態】
【００２５】
以下、本発明の好ましい実施形態について、添付図面を参照して説明する。図１は、本発明における実施形態の複合機１の外観構成を示す斜視図であり、図２は原稿カバー８が開けられた状態の複合機１の外観構成を示す斜視図である。なお、以下の実施形態は本発明を具体化した一例にすぎず、本発明の要旨を変更しない範囲で、実施例を適宜変更できることは言うまでもない。
【００２６】
図示するように、本複合機１は、下部に設けられたプリンタ２と、上部に設けられたスキャナ３と、スキャナ３の正面側に設けられた操作パネル４とを一体的に備えたＭＦＤ（Ｍｕｌｔｉ  Ｆｕｎｃｔｉｏｎ  Ｄｅｖｉｃｅ）であり、コピー機能、ファクシミリ機能、パーソナルコンピュータ（ＰＣ）など外部のコンピュータ（図示せず）から受信したデータを記録用紙に記録（印刷）するプリンタ機能など複数の機能を実現するが、これらの機能については、図４を参照して詳述する。
【００２７】
スキャナ３は、ＦＢＳ（Ｆｌａｔｂｅｄ  Ｓｃａｎｎｅｒ）として機能する原稿読取台６に対して、自動原稿搬送機構（ＡＤＦ：Ａｕｔｏ  Ｄｏｃｕｍｅｎｔ  Ｆｅｅｄｅｒ、以下「ＡＤＦ」という。）７を備えた原稿カバー８が、背面側の蝶番１１(図２参照)を介して開閉自在に取り付けられてなる。図２に示すように、原稿読取台６の上面にはプラテンガラス１２が配設されており、原稿読取台６の内部には、図示しない画像読取ユニットが内蔵されている。
【００２８】
プラテンガラス１２は、縦幅より横幅が長い平面視で横長の長方形に形成されている。このプラテンガラス１２は、長方形の原稿を横向きに載置することが可能な大きさを有する。ここで、上記した横向きとは、原稿の長辺が横を向くように、言い換えれば、原稿の長辺が複合機１の幅方向に揃えられる向きである。
【００２９】
原稿読取台６の上面は大きく開口されており、その開口部にプラテンガラス１２が嵌め込まれている。原稿読取台６の内部には、上記画像読取ユニットの移動スペースや、画像読取ユニット或いはそれを支持する部材および駆動させる機構などを配設するスペースが確保されているため、原稿読取台６の上面はプラテンガラス１２よりも大きく形成されているが、原稿読取台６は、プラテンガラス１２と平面視で概ね相似形に形成されている。即ち、原稿読取台６は、プラテンガラス１２と同様に、平面視で横方向に長く且つ所定高さの直方体に形成されている。
【００３０】
このように構成されたスキャナ３をＦＢＳとして使用する場合は、原稿カバー８を開いてプラテンガラス１２上に原稿を載置し、その後、原稿カバー８を閉じて当該原稿を固定する。そして、読取開始指令が入力されると、上記画像読取ユニットがプラテンガラス１２の裏面に沿って走査される。これにより、ＦＢＳによる原稿の画像読取りが行われる。
【００３１】
上記画像読取ユニットは、複合機１の奥行き方向を主走査方向とするラインイメージセンサを備えたものであり、光源を発光させて原稿に光を照射し、原稿からの反射光をレンズにより光電変換素子に導き、光電変換素子が反射光強度に応じた電気信号を出力することによって画像を読み取る。ラインイメージセンサとしては、密着型のＣＩＳ（Ｃｏｎｔａｃｔ  Ｉｍａｇｅ  Ｓｅｎｓｏｒ）、或いは、縮小光学系のＣＣＤ（Ｃｈａｒｇｅ  Ｃｏｕｐｌｅｄ  Ｄｅｖｉｃｅ）や、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ：相補型金属酸化膜半導体）などを適用することができる。なお、画像読取ユニットやスキャナ３の内部構成の構成は本発明に直接関係がないので、ここでは詳細な説明は省略する。
【００３２】
ＡＤＦ７は、原稿トレイ９から原稿排出トレイ１０へ原稿搬送路を通じて原稿を搬送するものである。ＡＤＦ７による原稿の搬送過程において、原稿が原稿読取台６上の読取面１３を通過され、該読取面１３の下方に待機する上記画像読取ユニットによって該原稿の画像が読み取られる。このようなＡＤＦ７による画像読取りは、原稿カバー８が原稿読取台６に対して閉じられた状態で行われる。なお、本発明においてＡＤＦ７は任意の構成であり、スキャナ３がＡＤＦ７を具備せず、ＦＢＳとしてのみ画像読取を行うものであってもよい。したがって、ＡＤＦ７の詳細な説明については省略する。
【００３３】
プリンタ２は、スキャナ３で読み取られた画像データ或いは外部から入力された画像データに基づいて、記録用紙上に画像を記録する画像記録装置である。このプリンタ２は、上述したように、スキャナ３の下方に配設されている。スキャナ３とプリンタ２は、それらの背面が同一面となるように位置決めされているため、複合機１の背面は凸凹のない平坦形状となっている。なお、プリンタ２の画像記録方式としては、インクジェット方式、電子写真方式や熱転写方式などの種々の画像記録方式を採用することができるのはもちろんである。
【００３４】
複合機１の正面側、換言すれば、プリンタ２の正面側には開口５が形成されている。この開口５内に給紙トレイ１４及び排紙トレイ１５が完全に内包されるように設けられている。給紙トレイ１４と排紙トレイ１５は上下二段となるように配設されており、上段に排紙トレイ１５が設けられ、その下方に給紙トレイ１４が設けられている。
【００３５】
プリンタ２の正面側の端面１７は、上述したように原稿読取台６が横長の直方体に形成されているため、スキャナ３の正面側の端面１８から所定幅だけ正面側に突出している。以下、このように正面側に突出したプリンタ２の正面側の端部を突出部１６と称する。なお、プリンタ２の横幅はスキャナ３の横幅に合わせて形成されている。従って、複合機１は平面視で略正方形をなしている。
【００３６】
プリンタ２には、給紙トレイ１４の奥側から上方へ延びた後に正面側へＵ字状に湾曲して排紙トレイ１５に連結される用紙搬送路が設けられている。給紙トレイ１４に収容された記録用紙は、その短辺を先頭にして用紙搬送路に送り出され、Ｕターン搬送されることによって用紙搬送路中に設けられた画像記録位置に案内される。そして、該画像記録位置で、画像が記録用紙に記録される。画像記録後の記録用紙は排紙トレイ１５に排出される。
【００３７】
プリンタ２の上記開口５の上側には、接続パネル７０が設けられている。この接続パネル７０には、その左端側にＵＳＢ端子７１が配設されている。ＵＳＢ端子７１は、外部機器とＵＳＢ接続することにより該外部機器と本複合機１とを通信可能に接続するコネクタ端子である。また、接続パネル７０の右端側にはスロット部７２が配設されている。スロット部７２はメモリカード（カード型メモリ）を装填可能な複数のカードスロットが設けられている。カードスロットにメモリカードが装填され、該装填されたメモリカードから画像データが後述の制御部２０により読み出される。
【００３８】
複合機１の正面側には、操作パネル４が設けられている。操作パネル４は、突出部１６の上方の空きスペースに適合するよう、図１および図２に示す如く横長形状に形成されている。換言すれば、操作パネル４は、その縦幅が、スキャナ３の縦幅からプリンタ２の縦幅を減じた長さ(空きスペースの縦幅)に収まる寸法に形成されている。操作パネル４は、プリンタ２やスキャナ３を操作するためのものであり、各種操作キー４０と液晶ディスプレイ（ＬＣＤ：Ｌｉｑｕｉｄ  Ｃｒｙｓｔａｌ  Ｄｉｓｐｌａｙ）４１とを具備する。ユーザは、操作パネル４を用いて、所望の指令を入力することができる。複合機１に所定の指令が入力されると、その入力された情報に基づいて該複合機１の動作が制御部２０（図３参照）によって制御される。
【００３９】
特に、本実施形態の複合機１は、操作キー４０として、コピーモードキー、ＦＡＸモードキーなどの各種モードキーを備えている。これらのモードキーにより、ユーザはいずれかのモードを選択する。コピーモードが選択されている場合、スキャナ３により読み取った画像データは、プリンタ２により記録される。ＦＡＸモードキーが選択されている場合、スキャナ３により読み取った画像データは、通信回線を介して他のファクシミリ装置に送信される。
【００４０】
なお、複合機１は、操作パネル４から入力された指令のほか、ＰＣなどのコンピュータに接続されて該コンピュータからプリンタドライバやスキャナドライバ等を介して送信される指令に基づいて動作するようにシステム構成されている。
【００４１】
図１および図２に示すように、ＬＣＤ４１は、操作パネル４に配置可能な最大の縦幅に大型化されている。一方、ＬＣＤ４１の横幅（横寸法）は、その縦幅の４／３倍よりも長いものである。換言すれば、ＬＣＤ４１の縦幅に対する横幅の寸法の比率が４／３より大きく設定されている。ＬＣＤ４１の縦幅に対する横幅の比率は８／３となっている。
【００４２】
図３を参照して、複合機１の動作を制御する制御部２０の概略構成について説明する。図３は、複合機１の制御部２０の概略構成を示すブロック図である。制御部２０は、プリンタ２、スキャナ３及び操作パネル４を含む複合機１の動作を統括的に制御するものである。制御部２０は、図に示すように、ＣＰＵ（Ｃｅｎｔｒａｌ  Ｐｒｏｃｅｓｓｉｎｇ  Ｕｎｉｔ）２１、ＲＯＭ（Ｒｅａｄ  Ｏｎｌｙ  Ｍｅｍｏｒｙ）２２、ＲＡＭ（Ｒａｎｄｏｍ  Ａｃｃｅｓｓ  Ｍｅｍｏｒｙ）２３、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）２４を主とするマイクロコンピュータとして構成されており、バス２５を介してＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）２６に接続されている。
【００４３】
ＣＰＵ２１は、この複合機１を総括的に制御する中央演算処理であり、図８から図１０のフローチャートで示す処理を実行するプログラムなどの各種プログラムを実行する。ＲＯＭ２２には、複合機１の各種動作を制御するためのプログラム等が格納されている。
【００４４】
ＲＡＭ２３は、ＣＰＵ２１が上記プログラムを実行する際に用いる各種データを一時的に記録する記憶領域又は作業領域として使用されるものであり、処理待ちメモリ２３１を備える。処理待ちメモリ２３１については、図５を参照して後述する。
【００４５】
ＡＳＩＣ２６は、ＣＰＵ２１からの指令に従い、プリンタ２、スキャナ３、操作パネル４、及びスロット部７２の動作制御を行う。プリンタ２、スキャナ３及びスロット部７２は、公知の構成であるので詳細な説明は省略する。
【００４６】
ＡＳＩＣ２６には、複合機１に所望の指令を入力する操作キー４０を制御するパネルゲートアレイ２７が接続されている。パネルゲートアレイ２７は、操作キー４０の押下（入力）を検出して、所定のコード信号を出力する。このキーコードは、複数の操作キー４０に対応して割り当てられている。ＣＰＵ２１は、パネルゲートアレイ２７から所定のキーコードを受信すると、所定のキー処理テーブルに従って、実行すべき制御処理を行う。キー処理テーブルは、キーコードと制御処理とを対応させてテーブル化したものであり、例えば、ＲＯＭ２２に記憶されている。
【００４７】
ＡＳＩＣ２６には、ＬＣＤ４１の画面表示を制御するＬＣＤコントローラ２８が接続されている。ＬＣＤコントローラ２８は、ＣＰＵ２１の指令に基づいて、ＬＣＤ４１にプリンタ２又はスキャナ３の動作に関する情報を画面に表示させる。また、スキャナ３により読み取られたデータに対応する画像を画面に表示させ、または、接続された外部装置やスロット部７２に挿入されたメモリカードから受け取ったデータに対応する画像を画面に表示させる。
【００４８】
また、ＡＳＩＣ２６には、コンピュータとパラレルケーブル又はＵＳＢケーブルを介してデータの送受信を行うためのパラレルインタフェース２９及びＵＳＢ端子７１が接続されている。また、ＵＳＢ端子７１には、ＵＳＢケーブルを介して、デジタルカメラやパーソナルコンピュータなどの外部装置を接続可能である。さらに、ＡＳＩＣ２６には、ファクシミリ機能を実現するためのＮＣＵ（Ｎｅｔｗｏｒｋ  Ｃｏｎｔｒｏｌ  Ｕｎｉｔ）３１やモデム３２が接続されている。また、ネットワーク上に存在するコンピュータとデータの送受信を行うための、図示しないネットワークインターフェースを備えていてもよい。
【００４９】
また、ＡＳＩＣ２６には、アンプ７３が接続されている。アンプ７３は、そのアンプ７３に接続されたスピーカ７４を鳴動して、呼出音や拒否音、メッセージなどを出力するためのものである。
【００５０】
図４を参照して、上述のように構成された複合機１が実現する機能について説明する。図４は、複合機１が備える主要な構成と、複合機１が実現する機能との関係を模式的に示すブロック図である。図４に示すように、複合機１は、スキャナ３を用いて原稿を読み取りその画像データをジョブとして出力する読取部７５と、プリンタ２を用いて記録用紙（記録媒体）に画像を記録することによりジョブを記録出力する記録部７６と、ＮＣＵ３１、モデム３２を用いてファクシミリ送受信を行うＦＡＸ部７７と、外部コンピュータとの間で通信を行うＰＣ部７８とを備える。これらを所定の組み合わせで連動させることにより、複合機１は複数種類の機能を実現する。
【００５１】
例えば、コピー機能は、矢印（１）で示すように、読取部７５により読み取った画像データを、記録部７６により記録させることで実現される。また、ファクシミリ送信機能は、矢印（２）で示すように、読取部７５で読み取った画像データを、ＦＡＸ部７７により他のファクシミリ装置にファクシミリ送信させることで実現される。また、ファクシミリ受信機能は、矢印（３）に示すようにＦＡＸ部７７がファクシミリ受信した入力データを、記録部７６により記録させることで実現される。
【００５２】
また、プリンタ機能は、矢印（４）で示すように、パラレルＩ／Ｆ２９またはＵＳＢ端子７１で構成されるＰＣ部７８を介して外部コンピュータから入力されたデータを、記録部７６により記録させることで実現される。また、スキャナ機能は、矢印（５）に示すように、読取部７５により読み取った入力データを、ＰＣ部７８により外部コンピュータに出力させることで実現される。また、ＰＣ−ＦＡＸ受信機能は、矢印（６）に示すように、ＦＡＸ部７７がファクシミリ受信した入力データを、ＰＣ部７８により外部コンピュータに出力させることで実現される。また、ＰＣ−ＦＡＸ送信機能は、矢印（７）に示すように、ＰＣ部７８から入力された入力データを、ＦＡＸ部７７により他のファクシミリ装置にファクシミリ送信させることで実現される。
【００５３】
ここで、読取部７５、記録部７６、ＦＡＸ部７７、ＰＣ部７８は、特許請求の範囲に記載の出力手段の一例に相当すると共に、各部は互いに独立に出力処理を進行する。例えば、記録部７６の記録出力中においても、ＦＡＸ部７７はファクシミリ送信動作またはファクシミリ受信動作することができるし、ＰＣ部７８は外部コンピュータとの通信動作を行うことができる。
【００５４】
なお、読取部７５、記録部７６、ＦＡＸ部７７、ＰＣ部７８は、入力データを、出力単位であるジョブ毎に出力処理する。すなわち、各部７５，７６，７７，７８は、ジョブを１つずつ出力処理する。このうち、記録部７６，ＦＡＸ部７７、ＰＣ部７８が１のジョブを出力処理する間に、次に処理すべき新たなジョブを受け付けると、その新たなジョブは、処理待ちメモリ２３１（図３参照）に蓄積される。そして先行するジョブの出力処理が完了すると、処理待ちメモリ２３１からジョブが順次読み出され、記録部７６、ＦＡＸ部７７、ＰＣ部７８のいずれかにより処理される。
【００５５】
一方、読取部７５については、読取部７５が１のジョブを出力処理する間は、ＡＤＦ７の原稿トレイ９（図１参照）またはプラテンガラス１２（図２参照）上に原稿がセットされており、次の原稿をセットできない。すなわち、次のジョブを受け付けることはできないから、処理待ちメモリ２３１にジョブが蓄積することはない。
【００５６】
図５を参照して、ＬＣＤ４１に表示される、ジョブ処理順序の表示画面について説明する。図５は、ジョブの処理順序を表示する通常画面の一例を示す図である。本実施形態では、ユーザが特別な操作をしない限り、この通常画面がＬＣＤ４１に表示されているものとして説明する。図５に示すように、ＬＣＤ４１は、長辺方向を分割することにより、一画面が複数領域に分割される。図５では、印刷ジョブ領域４１１、ＦＡＸジョブ領域４１２、ＰＣジョブ領域４１３、処理待ちジョブ領域４１４の４つの領域に分割された例を図示する。
【００５７】
このうち、処理待ちジョブ領域４１４は、処理待ち状態にあるジョブの処理順序をリスト表示する領域である。図５に示すように、ＬＣＤ４１には、各ジョブについて、機能の種類、処理待ちの状態、書類名、用紙サイズ、倍率など、各ジョブを特定するための情報が表示されるから、これらの情報から、ユーザは各ジョブの内容とその処理順序を知ることができる。例えば、処理待ちジョブ４１４の最上段に記述された『プリンタ  印字待ち  ＊＊＊＊＊＊．ｘｌｓ』の表示を見れば、外部コンピュータからデータ名が「＊＊＊＊＊＊．ｘｌｓ」の記録指示をしたが、印字待ち状態となっていることを判断できる。
【００５８】
ここで、処理待ちジョブ領域４１４には、記録部７６による処理待ちジョブと、ＦＡＸ部７７による処理待ちジョブと、ＰＣ部７８による処理待ちジョブとが混在して表示されている。しかしながら、記録部７６、ＦＡＸ部７７、ＰＣ部７８は、それぞれ互いに独立に出力処理を進行するから、処理待ちジョブ領域４１４に表示された処理順序と、実際に出力処理が完了する順序とが異なる場合がある。
【００５９】
例えば、処理待ちジョブ領域４１５の最下段に表示されたジョブは、全体の処理順序においては５番目であるものの、ＦＡＸ部７７で出力されるジョブとしては、最先の順序であるので、実際には、迅速に処理が完了する。このように、処理待ちジョブ４１５の表示だけでは、各ジョブの実際の処理のタイミングは把握しにくい。よって、本実施形態では、処理待ちジョブの処理順序を、記録部７６，ＦＡＸ部７７，ＰＣ部７８毎に分別して表示している。
【００６０】
印刷ジョブ領域４１１は、記録部７６（図４参照）に対し割り当てられた領域であり、処理待ちメモリ２３１に蓄積されたジョブのうち、記録部７６による処理待ちのジョブの処理順序が表示される領域である。
【００６１】
ＦＡＸジョブ領域４１２は、ＦＡＸ部７７（図４参照）に対し割り当てられた領域であり、処理待ちメモリ２３１に蓄積されたジョブのうち、ＦＡＸ部７７による処理待ちのジョブの処理順序が表示される領域である。
【００６２】
ＰＣジョブ領域４１３は、ＰＣ部７８（図４参照）に対し割り当てられた領域であり、処理待ちメモリ２３１に蓄積されたジョブのうち、ＰＣ部７８による処理待ちのジョブの処理順序が表示される領域である。
【００６３】
このように、ジョブの処理順序が、そのジョブを出力する記録部７６，ＦＡＸ部７７，ＰＣ部７８毎に分別して表示されるので、各ジョブが実際に実行されるタイミングがユーザにとって直感的に把握し易い。例えば、処理待ちジョブ領域４１５の最下段に表示されたジョブは、全体の処理順序は５番目であるものの、ＦＡＸ部７７で出力されるジョブとしては、最先の順序であって、実際には迅速に処理が完了することが一目で分かる。このように、ユーザは、実際の実行タイミングを正確かつ直感的に把握することができる。また、１画面内に記録部７６，ＦＡＸ部７７，ＰＣ部７８の処理順序が表示されるので、ユーザは各部７６，７７，７８毎の処理順序を一覧でき、各ジョブの実際の実行タイミングが分かりやすい。なお、上述したように、処理待ちジョブが蓄積することがない読取部７５に関しては、表示領域を設けない。したがって、限られた画面を有効に利用することができる。
【００６４】
また、図５に示すように、印刷ジョブ領域４１１、ＦＡＸジョブ領域４１２、ＰＣジョブ領域４１３には、処理待ちジョブに加えて、処理中ジョブの情報も表示するようにしてもよい。このようにすれば、ジョブの処理経過をより詳細に知ることができ、ユーザにとって便利である。
【００６５】
このようにして各ジョブの実際の実行タイミングを正確に把握することができると、ユーザによっては、処理順序を変更したいという要求が生じ得る。例えば、処理待ちの時間を利用して、ＦＡＸ送信待ちのジョブを記録して送信前に内容を確認し、または、コピーして記録出力待ちにあるジョブを保存用として外部のコンピュータにも転送するなど、付加的な処理を追加したいという要求が生じ得る。したがって、本実施形態の複合機１によれば、以下に説明するように、ＬＣＤ４１に表示されたジョブの処理順序を画面指示にしたがって変更することができるように構成されている。
【００６６】
図６および図７を参照して、ジョブ処理順序の変更操作について説明する。図６および図７は、ジョブ処理順序の変更操作時における、表示画面の変遷を示す図である。図６（ａ）は、ユーザからジョブ処理順序の変更指示があった場合に、ＬＣＤ４１に表示される変更開始画面の一例を示す図である。図６（ａ）に示すように、変更開始画面は、１画面が、印刷ジョブ領域４１１、ＦＡＸジョブ領域４１２、ＰＣジョブ領域４１３、変更操作表示領域４１５の４つの領域に分割される。図６（ａ）に示すように、変更操作表示領域４１５は、図５を参照して説明した通常画面における処理待ちジョブ領域４１４に替えて設けられる領域であり、操作方法や後述するプレビュー画像を表示する。このように、ジョブの処理順序と、変更操作方法を同時に表示するので、ユーザは、これらを同時に視認しながら操作をすることができ、使い勝手が良い。
【００６７】
この変更開始画面においては、印刷ジョブ領域４１１、ＦＡＸジョブ領域４１２、ＰＣジョブ領域４１３に表示されたジョブのうち、いずれか１つが選択中のジョブとして反転表示される。図６（ａ）においては、反転領域をグレイ色で示す。この画面上における反転領域の位置は、例えば、操作キー４０から上下左右の方向を入力させることにより、ユーザに操作させることができる。ユーザは、操作キー４０からの操作により、目的とするジョブを反転表示させた後、操作キー４０の図示しない決定キー（ＯＫキー）を押下する。これにより、反転領域のジョブが変更対象ジョブとして選択され、次の図６（ｂ）に示すプレビュー画面に移行する。
【００６８】
図６（ｂ）は、プレビュー画面の一例を示す図である。図６（ｂ）に示すように、プレビュー画面では、決定された変更対象ジョブの内容を示すプレビュー画像が、変更操作表示領域４１５に表示される。ユーザはこのプレビュー画像を見ることにより、決定した変更対象ジョブのより詳細な内容を把握することができる。このプレビュー画面においては、印刷ジョブ４１１、ＦＡＸジョブ４１２、ＰＣジョブ４１３に表示されたジョブのうち、ユーザ操作により決定されたジョブが反転表示されている。ユーザは、このプレビュー画面の表示時に、確定かキャンセルかのいずれかを選択する。ユーザによって確定が選択されると、反転表示中のジョブが変更対象ジョブとして確定し、図６（ｃ）に示す挿入先決定画面に移行する。
【００６９】
図６（ｃ）は、挿入先決定画面の一例を示す図である。図６（ｃ）に示すように、挿入先決定画面では、印刷ジョブ領域４１１、ＦＡＸジョブ領域４１２、ＰＣジョブ領域４１３に表示されたジョブのうち、いずれか１つが選択中のジョブとして、矩形枠で囲まれて表示される。矩形枠表示の位置は、例えば、操作キー４０から上下左右の方向を入力させることにより、ユーザに選択させることができる。ユーザはいずれかのジョブを選択し、操作キー４０の図示しない決定キー（ＯＫキー）を押下する。そして、矩形枠で囲まれたジョブの前の順序が挿入先として決定され、図７（ａ）に示す変更対象ジョブ処置画面に移行する。
【００７０】
図７（ａ）は、変更対象ジョブ処置画面の一例を示す図である。図７（ａ）に示すように、変更対象ジョブ処置画面では、変更操作表示領域４１５に、ユーザに対する問い合わせが表示される。この変更対象ジョブ処置画面においては、ユーザに対し、変更対象の元ジョブを実行するか否かを問い合わせる。ユーザは、操作キー４０から上下の方向を入力することにより、実行するか否か、いずれかを選択し、操作キー４０から図示しない決定キー（ＯＫキー）を押下する。これにより、変更対象ジョブの処置が決定され、次の図７（ｂ）に示す通常画面に移行する。
【００７１】
図７（ｂ）は、ジョブ処理順序変更後の通常画面を示す図である。図７（ｂ）に示すように、通常画面では、変更操作表示領域４１５に替えて、処理待ちジョブ領域４１４が表示される。ここでは、ＦＡＸ送信待ちジョブを、記録処理待ちジョブの先頭に挿入し、且つ変更対象ジョブの元ジョブ（すなわちＦＡＸ送信待ちジョブ）を実行することを選択したから、図７（ｂ）に示すように、変更対象の元ジョブはそのまま存在し、且つ、決定された挿入先に新たなジョブが追加されたジョブ処理順序に変更される。このように変更すれば、ＦＡＸ送信待ち時間に、記録部７６を利用して、ＦＡＸ送信待ちにあるジョブを記録し、送信内容を事前に確認できる。そして、元々ＦＡＸ送信待ちにあったジョブは、元々の処理順序で送信処理される。
【００７２】
複合機１によれば、ユーザは、各ジョブの出力タイミングを直感的かつ正確に把握できると共に、その正確な判断に基づいて、ジョブ処理順序を変更することができるので、ユーザにとって最適な処理順序に変更すること、および待ち時間を有効に利用することが可能となる。
【００７３】
次に、図８から図１０のフローチャートを参照して、上記のように構成される複合機１において実行される処理について説明する。
【００７４】
図８は、ジョブ受付処理を示すフローチャートである。図８に示すジョブ受付処理は、複合機１の電源起動後、所定時間毎に実行される処理である。なお、このジョブ受付処理が実行される間、ＬＣＤ４１には、図５を参照して説明した通常画面が表示されているものとして説明する。
【００７５】
まず、複合機１の入力経路を監視する（Ｓ１）。そして、ＦＡＸ部７７に着信があったか否かを判断する（Ｓ２）。ＦＡＸ部７７に着信があった場合（Ｓ２：Ｙｅｓ）、通常画面のＦＡＸジョブ領域４１２（図５参照）に「受信中」と表示する（Ｓ３）。そしてデータを受信する（Ｓ４）。なお、データの受信が完了すると、ＦＡＸジョブ領域４１２における「受信中」の表示を消去する。次に、受信したデータを、ＰＣ−ＦＡＸ受信すべきか否かを判断する（Ｓ５）。なお、受信したデータを記録部７６で印刷する通常のファクシミリ受信とすべきか、受信したデータを外部コンピュータで保存するＰＣ−ＦＡＸ受信とすべきかは、複合機１においてユーザが予めした設定に従うものとする。
【００７６】
判断の結果、ＰＣ−ＦＡＸ受信しない場合（Ｓ５：Ｎｏ）、すなわち、通常ファクシミリ受信であった場合、入力データ（受信したデータ）を記録部７６のジョブとして受け付け（Ｓ６）、処理を終了する。一方、ＰＣ−ＦＡＸ受信する場合（Ｓ５：Ｙｅｓ）、入力データをＰＣ部７８のジョブとして受け付け（Ｓ７）、処理を終了する。
【００７７】
一方、ＦＡＸ部７７に着信がなく（Ｓ２：Ｎｏ）、外部コンピュータからＰＣ部７８に対しデータ送信要求がきた場合（Ｓ８：Ｙｅｓ）、通常画面のＰＣジョブ領域４１３（図５参照）に「ＰＣとＩ／Ｆ中」と表示する（Ｓ９）。そしてデータを受信する（Ｓ１０）。なお、データの受信が完了すると、ＰＣジョブ領域４１３における「ＰＣとＩ／Ｆ中」の表示は消去される。次に、受信したデータが、ＰＣ−ＦＡＸ送信用のものか否かを判断する（Ｓ１１）。
【００７８】
受信したデータが、ＰＣ−ＦＡＸ送信用のものでない場合（Ｓ１１：Ｎｏ）、すなわち、外部コンピュータから受信したデータが記録部７６で記録するプリンタ機能用のデータであった場合、入力データ（受信したデータ）を記録部７６のジョブとして受け付け（Ｓ１２）、処理を終了する。
【００７９】
一方、受信したデータがＰＣ−ＦＡＸ送信用のものであった場合（Ｓ１１：Ｙｅｓ）、すなわち、外部コンピュータから受信したデータが、複合機１を介してファクシミリ送信するＰＣ−ＦＡＸ送信機能用のデータであった場合、入力データをＦＡＸ部７７の送信ジョブとして受け付け（Ｓ１３）、処理を終了する。
【００８０】
ＦＡＸ部７７に着信がなく（Ｓ２：Ｎｏ）、外部コンピュータからＰＣ部７８に対しデータ送信要求がなく（Ｓ８：Ｎｏ）、スキャナ動作要求がきた場合（Ｓ１４：Ｙｅｓ）、読取部７５を動作させ、原稿を読み込み、画像データを取得する（Ｓ１５）。なお、ここでスキャナ動作要求は、ユーザが複合機１の操作パネル４に備えられたスタートキー（図示せず）が押下されたことに基づいて、このスキャナ動作要求が発生する。
【００８１】
次に、ユーザによって現在選択されているモードが、コピーモードか否かを判断する（Ｓ１６）。コピーモードである場合（Ｓ１６：Ｙｅｓ）、読取部７５から入力されたデータを、記録部７６のジョブとして受け付け（Ｓ１７）、処理を終了する。
【００８２】
次に、現在のモードが、コピーモードではなく（Ｓ１６：Ｎｏ）、ＦＡＸモードである場合（Ｓ１８：Ｙｅｓ）、読取部７５から入力されたデータを、ＦＡＸ部７７の送信ジョブとして受け付け（Ｓ１９）、処理を終了する。
【００８３】
次に、現在のモードが、コピーモードではなく（Ｓ１６：Ｎｏ）、ＦＡＸモードでない場合（Ｓ１８：Ｎｏ）、読取部７５から入力されたデータを、ＰＣ部７８のジョブとして受け付け（Ｓ２０）、処理を終了する。
【００８４】
ジョブ受付処理によれば、入力データが、記録部７６、ＦＡＸ部７７、ＰＣ部７８のいずれかのジョブとして受け付けられる。
【００８５】
図９のフローチャートを参照して、ジョブ出力処理について説明する。図９は、ジョブ出力処理を示すフローチャートである。このジョブ出力処理は、ジョブ受付処理（図８参照）でジョブを受け付けると起動する処理である。なお、このジョブ出力処理が実行される間も、ＬＣＤ４１には、図５を参照して説明した通常画面が表示されているものとして説明する。
【００８６】
まず、受け付けたジョブの出力先が、記録部７６（図４参照）か否かを判断する（Ｓ２１）。出力先が記録部７６である場合（Ｓ２１：Ｙｅｓ）、次に、記録部７６が使用中か否か（すなわち、記録部７６が先行する他のジョブを処理中か否か）を判断する（Ｓ２２）。記録部７６が使用中でない場合（Ｓ２２：Ｎｏ）、記録部７６により記録を実行し（Ｓ２３）、処理を終了する。
【００８７】
一方、記録部７６が使用中である場合（Ｓ２２：Ｙｅｓ）、受け付けたジョブを処理待ちメモリ２３１（図１参照）に蓄積する（Ｓ２４）。そして、ＬＣＤ４１に表示された通常画面の印刷ジョブ領域４１１（図５参照）の最下段に、新しく追加されたジョブの情報を表示し（Ｓ２５）、処理を終了する。
【００８８】
一方、ジョブの出力先が、記録部７６（図４参照）でない場合（Ｓ２１：Ｎｏ）、次に、受け付けたジョブの出力先は、ＦＡＸ部７７（図４参照）か否かを判断する（Ｓ２６）。出力先がＦＡＸ部７７である場合（Ｓ２６：Ｙｅｓ）、次に、ファクシミリ送受信に用いる通信回線を使用中か否か（すなわちＦＡＸ部７７を使用中か否か）を判断する（Ｓ２７）。通信回線が使用中でない場合（Ｓ２７：Ｎｏ）、ＦＡＸ部７７によりジョブのファクシミリ送信を実行し（Ｓ２８）、処理を終了する。
【００８９】
一方、ＦＡＸ部７７が使用中である場合（Ｓ２７：Ｙｅｓ）、受け付けたジョブを、処理待ちメモリ２３１（図１参照）に蓄積する（Ｓ２９）。そして、ＬＣＤ４１に表示された通常画面のＦＡＸジョブ領域４１２（図５参照）の最下段に、新しく追加されたジョブの情報を表示し（Ｓ３０）、処理を終了する。
【００９０】
一方、ジョブの出力先が、記録部７６でなく（Ｓ２１：Ｎｏ）、ＦＡＸ部７７でない場合（Ｓ２６：Ｎｏ）、指定された出力先はＰＣ部７８（図４参照）なので、外部コンピュータとの通信中か否か（すなわちＰＣ部７８を使用中か否か）を判断する（Ｓ３１）。ＰＣ部７８を通信中でない場合（Ｓ３１：Ｎｏ）、ＰＣ部７８により外部コンピュータとの通信を実行し（Ｓ３２）、処理を終了する。
【００９１】
一方、ＰＣ部７８が使用中である場合（Ｓ３１：Ｙｅｓ）、受け付けたジョブを、処理待ちメモリ２３１（図１参照）に蓄積する（Ｓ３３）。そして、ＬＣＤ４１に表示された通常画面のＰＣジョブ領域４１３（図５参照）の最下段に、新しく追加されたジョブの情報を表示し（Ｓ３４）、処理を終了する。
【００９２】
なお、記録部７６、ＦＡＸ部７７、ＰＣ部７８は、処理待ちメモリ２３１に蓄積されたジョブを、マルチタスクにより、同時並行的に進める。したがって、処理待ちメモリ２３１に蓄積されたジョブは、図８に示すジョブ受付処理および図９に示すジョブ出力処理の進行中においても、並行して順次出力されるが、公知の処理であるため、詳細な説明は省略する。
【００９３】
図１０は、複合機１で実行される変更処理のフローチャートである。この変更処理は、ジョブ処理順序の変更指示があると起動する処理である。なお、ジョブ処理順序の変更指示は、ユーザが操作キー４０から所定の操作をすることにより為される。
【００９４】
まず、変更開始画面（図６（ａ）参照）をＬＣＤ４１に表示する（Ｓ５０）。次に、変更対象のジョブが決定されたか否かを判断する（Ｓ５２）。変更対象のジョブが決定されるまでは（Ｓ５２：Ｎｏ）、待機する。一方、図６（ａ）を参照して説明したように、変更開始画面に表示されたジョブのうち、ユーザによって選択されたジョブが反転表示され、ユーザが、操作キー４０から図示しない決定キー（ＯＫキー）を入力することにより、変更対象のジョブが決定されると（Ｓ５２：Ｙｅｓ）、次に、プレビュー画面（図６（ｂ）参照）を表示し、決定されたジョブのプレビュー画像を表示する（Ｓ５４）。これにより、ユーザは、変更対象のジョブの詳細な内容を理解することができる。
【００９５】
次に、ユーザが操作キー４０から図示しない決定キーを押下することにより、決定されたジョブで確定したか否かを判断する（Ｓ５６）。例えば、キャンセルキーを押下することにより、確定されなかった場合（Ｓ５６：Ｎｏ）、Ｓ５２の処理に戻り、変更対象のジョブが再度決定されるまで処理を繰り返す。このように、変更対象のジョブを確定する前に、プレビュー画像を表示するので、ユーザは、ジョブの詳細な内容を視認した後、そのジョブを変更元のジョブとするかを確定することができ、ユーザにとって使い勝手が良い。
【００９６】
このようにして処理を繰り返すうちに、変更対象のジョブが確定されると（Ｓ５６：Ｙｅｓ）、挿入先決定画面（図６（ｃ）参照）を表示する（Ｓ５８）。次に、挿入先決定画面において、挿入先（変更後の出力先および処理順序）が決定されたか否かを判断する（Ｓ６０）。挿入先が決定されるまでは（Ｓ６０：Ｎｏ）、待機する。図６（ｂ）を参照して説明したように、挿入先決定画面に表示されたジョブのうち、ユーザによって選択されたジョブが矩形枠で囲んで表示され、ユーザが、操作キー４０から図示しない決定キー（ＯＫキー）を押下すると、その矩形枠のある領域が出力先として決定され、その矩形枠で囲まれたジョブの前が挿入先の出力順序として決定される。
【００９７】
このようにして挿入先が決定されると（Ｓ６０：Ｙｅｓ）、次に、ユーザが操作キー４０から図示しない決定キーを押下することにより、決定された挿入先で確定したか否かを判断する（Ｓ６２）。例えば、キャンセルキーを押下することにより、確定されなかった場合（Ｓ６２：Ｎｏ）、Ｓ６０の処理に戻り、挿入先が再度決定されるまで処理を繰り返す。
【００９８】
一方、挿入先が確定された場合（Ｓ６２：Ｙｅｓ）、確定された挿入先に対応するジョブを、変更元のジョブに基づいて作成する（Ｓ６３）。この新たに作成されたジョブは、処理待ちメモリ２３１（図３参照）に格納され、確定された出力先および処理順序で処理される。次に、変更対象ジョブ処置画面（図７（ａ）参照）を表示する（Ｓ６４）。図７（ａ）を参照して説明したように、この変更対象ジョブ処置画面においては、ユーザに対し、変更対象の元ジョブを実行するか否かを問い合わせる。
【００９９】
ユーザが、元のジョブの実行を選択した場合（Ｓ６６：Ｙｅｓ）、Ｓ６８の処理をスキップし、変更処理を終了する。この場合、元のジョブはそのまま残っているので、元の出力先および元の出力順序においてもジョブが出力処理される。すなわち、変更前の出力先と、変更後の出力先と両方とで出力処理がされるので、使い勝手がよい。一方、元のジョブの実行が選択されなかった場合（Ｓ６６：Ｎｏ）、変更元のジョブを削除し（Ｓ６８）、処理を終了する。この場合、変更対象の元のジョブは実行されないので、処理時間および消耗品の使用を節約することができる。
【０１００】
変更処理によれば、ＬＣＤ４１により処理順序が表示されたジョブのうち少なくとも１つを、通常画面において分別して表示された出力先とは異なる出力先で出力処理させることができるので、ユーザにとって使い勝手が良い。
【０１０１】
複合機１によれば、ジョブの処理順序が、記録部７６，ＦＡＸ部７７，ＰＣ部７８毎に分別して表示されるので、各ジョブが実際に実行されるタイミングがユーザにとって直感的に把握し易い。
【０１０２】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０１０３】
例えば、複合機１は、コピー機能、ＦＡＸ送信機能、ＦＡＸ受信機能、プリンタ機能、スキャナ機能、ＰＣ−ＦＡＸ送信機能、ＰＣ−ＦＡＸ受信機能を実現するものとして説明したが、本発明を適用するうえで、上記した全ての機能が複合機１に備えられている必要はない。また、本複合機１は、記録用紙だけに限らず、ＯＨＰ用の透明フィルムシートや布などにも画像を記録することが可能である。また、複合機１は、デジタルカメラ等の外部装置から受け取ったデータを記録用紙に記録したり、メモリカード等の各種記憶媒体を装填して、該記憶媒体に記憶されたデータ等を受け取り、記録用紙に記録するメディア機能を実現するものであってもよい。
【０１０４】
また、複合機１は、読取部７５，記録部７６，ＦＡＸ部７７，ＰＣ部７８を備えるものであったが、本発明を適用するうえで、これら全てが複合機１に備えられている必要はない。また、出力手段としてさらに別の構成を備えていても良い。
【図面の簡単な説明】
【０１０５】
【図１】本発明における実施形態の複合機の外観構成を示す斜視図である。
【図２】原稿カバーが開けられた状態の複合機の外観構成を示す斜視図である。
【図３】複合機の制御部の概略構成を示すブロック図である。
【図４】複合機が備える主要な構成と、複合機が実現する機能との関係を模式的に示すブロック図である。
【図５】ジョブの処理順序を表示する通常画面の一例を示す図である。
【図６】（ａ）は、変更開始画面の一例を示す図であり、（ｂ）は、プレビュー画面の一例を示す図であり、（ｃ）は、挿入先決定画面の一例を示す図である。
【図７】（ａ）は、変更対象ジョブ処置画面の一例を示す図であり、（ｂ）は、ジョブ処理順序変更後の通常画面を示す図である。
【図８】ジョブ受付処理を示すフローチャートである。
【図９】ジョブ出力処理を示すフローチャートである。
【図１０】変更処理のフローチャートである。
【符号の説明】
【０１０６】
１                複合機
４１              ＬＣＤ（ジョブ表示手段）
７５              読取部（出力手段）
７６              記録部（出力手段）
７７              ＦＡＸ部（出力手段）
７８              ＰＣ部（出力手段）
Ｓ５０〜Ｓ６８    変更手段
Ｓ５２            選択手段
Ｓ５４            プレビュー画像表示手段
Ｓ５６            変更元確定手段
Ｓ６２            変更位置決定手段
Ｓ６３            変更後ジョブ作成手段
Ｓ６８            削除手段
【図１】
2008141563.tif 000003
【図２】
2008141563.tif 000004
【図３】
2008141563.tif 000005
【図４】
2008141563.tif 000006
【図５】
2008141563.tif 000007
【図６】
2008141563.tif 000008
【図７】
2008141563.tif 000009
【図８】
2008141563.tif 000010
【図９】
2008141563.tif 000011
【図１０】
2008141563.tif 000012